(57)【要約】【課題】砲弾状の先端部を備えた繊維ペン先を用いた筆記具において、筆記方向や筆記角度が異なる場合でも、一定の筆跡幅が確実に得られる筆記具を提供する。【解決手段】繊維束の樹脂加工体からなる棒状のペン先６を備えた筆記具であって、ペン先６が砲弾状の先端部６１を備える。ペン先６の最大外径をＤとし、ペン先６の先端部６１の軸方向の長さをＬとするとき、前記最大外径Ｄに対する前記長さＬの比（Ｌ／Ｄ）が、０．４〜０．８５である。ペン先６の先端部６１の軸方向の長さＬの半分の長さ分だけペン先６の先端部６１の頂点から後方に離れた位置におけるペン先６の先端部６１の外径をＥとするとき、前記外径Ｅの前記ペン先６の最大外径Ｄに対する比（Ｅ／Ｄ）が０．８５〜０．９である。ペン先６の最大外径Ｄが５．５ｍｍ以上である。【選択図】  図２
2011148092.tif 000002
【特許請求の範囲】
【請求項１】
繊維束の樹脂加工体からなる棒状のペン先を備えた筆記具であって、前記ペン先が砲弾状の先端部を備え、前記ペン先の最大外径をＤとし、前記ペン先の先端部の軸方向の長さをＬとするとき、前記最大外径Ｄに対する前記長さＬの比（Ｌ／Ｄ）が、０．４〜０．８５であることを特徴とする筆記具。
【請求項２】
前記ペン先の先端部の軸方向の長さＬの半分の長さ分だけペン先の先端部の頂点から後方に離れた位置におけるペン先の先端部の外径をＥとするとき、前記外径Ｅの前記ペン先の最大外径をＤに対する比（Ｅ／Ｄ）が０．８５〜０．９である請求項１記載の筆記具。
【請求項３】
前記ペン先の最大外径Ｄが５．５ｍｍ以上である請求項１または２記載の筆記具。
【発明の詳細な説明】
【技術分野】
【０００１】
本発明は、筆記具に関する。詳細には、繊維束の樹脂加工体からなる棒状のペン先を備えた筆記具に関する。
【背景技術】
【０００２】
従来、筆記具用の繊維ペン先として、先端を砲弾状にしたものが広く知られている（例えば、特許文献１）。
【先行技術文献】
【特許文献】
【０００３】
【特許文献１】実開昭６４−５２７９０号公報
【発明の概要】
【発明が解決しようとする課題】
【０００４】
前記従来の砲弾状の先端部を有するペン先を用いた筆記具において、ペン先を移動させる方向（即ち筆記方向）や、ペン先の軸線と筆記面とのなす角度（即ち筆記角度）が異なる場合、得られる筆跡幅が異なり、一定の筆跡幅を得ることが困難であった。特に、前記従来の砲弾状の先端部を有する、外径が比較的太いペン先の場合（例えばペン先の最大外径が５ｍｍ以上の場合）、筆記方向や筆記角度の違いによって、筆跡幅が大きく変動する。
【０００５】
本発明は前記従来の問題点を解決するものであって、砲弾状の先端部を備えた繊維ペン先を用いた筆記具において、筆記方向や筆記角度が異なる場合でも、一定の筆跡幅が確実に得られる筆記具を提供しようとするものである。
【課題を解決するための手段】
【０００６】
＜１＞本願の第１の発明は、繊維束の樹脂加工体からなる棒状のペン先６を備えた筆記具であって、前記ペン先６が砲弾状の先端部６１を備え、前記ペン先６の最大外径をＤとし、前記ペン先６の先端部６１の軸方向の長さをＬとするとき、前記最大外径Ｄに対する前記長さＬの比（Ｌ／Ｄ）が、０．４〜０．８５（好ましくは０．５〜０．７５）であることを要件とする。
【０００７】
前記第１の発明の筆記具１は、ペン先６の最大外径Ｄに対するペン先６の先端部６１の軸方向の長さＬの比（Ｌ／Ｄ）を、０．４〜０．８５（好ましくは０．５〜０．７５）の範囲に設定したことによって、筆記方向や筆記角度が異なる場合でも、一定の筆跡幅が確実に得られる。もし、前記Ｌ／Ｄの値が０．４より小さい場合、一定の筆跡幅を得るには、筆記時、筆記面に対してペン先６を略垂直に立てる必要があり、筆記が容易ではない。逆に、前記Ｌ／Ｄの値が０．８５より大きい場合、筆記方向や筆記角度が異なると、筆跡幅が大きく異なり、一定の筆跡幅が得られない。
【０００８】
尚、前記ペン先６の砲弾状の先端部６１とは、先端に向かうに従って次第に外径が小さくなる先細形状の部分であり、凸曲面からなる。前記ペン先６の先端部６１の軸方向の長さＬとは、ペン先６の先端部６１の頂点から先細形状が終わる後端までの軸方向の長さをいう。前記ペン先６の最大外径Ｄとは、ペン先６の先端部６１よりも後方の最大外径をいう。
【０００９】
＜２＞本願の第２の発明は、前記第１の発明の筆記具１において、前記ペン先６の先端部６１の軸方向の長さＬの半分の長さ分だけペン先６の先端部６１の頂点から後方に離れた位置におけるペン先６の先端部６１の外径をＥとするとき、前記外径Ｅの前記ペン先６の最大外径をＤに対する比（Ｅ／Ｄ）が０．８５〜０．９であることを要件とする。
【００１０】
前記第２の発明の筆記具１は、前記外径Ｅの前記ペン先６の最大外径Ｄに対する比（Ｅ／Ｄ）を０．８５〜０．９の範囲に設定することにより、より一層、筆記方向や筆記角度が異なる場合でも、一定の筆跡幅が確実に得られる。もし、前記Ｅ／Ｄの値が０．８５より小さい場合、一定の筆跡幅を得るには、筆記時、筆記面に対してペン先６を略垂直に立てる必要があり、筆記が容易ではない。逆に、前記Ｅ／Ｄの値が０．９より大きい場合、筆記方向や筆記角度が異なると、筆跡幅が大きく異なり、一定の筆跡幅が得られない。
【００１１】
尚、前記外径Ｅは、ペン先６の先端部６１の頂点から先細形状が終わる後端との間の先端部６１の中間部の外径であり、ペン先６の先端部６１の頂点から前記Ｌ／２の長さ分だけ先端部６１の頂点から軸方向後方に離れた点における外径をいう。
【００１２】
＜３＞本願の第３の発明は、前記第１または第２の発明の筆記具１において、前記ペン先６の最大外径Ｄが５．５ｍｍ以上であることを要件とする。
【００１３】
前記第３の発明の筆記具１は、筆記方向や筆記角度が異なる場合でも、比較的太い一定の筆跡幅が確実に得られる。
【発明の効果】
【００１４】
本発明の筆記具は、筆記方向や筆記角度が異なる場合でも、一定の筆跡幅が確実に得られる。
【図面の簡単な説明】
【００１５】
【図１】本発明の実施の形態を示す縦断面図である。
【図２】図１の第１のペン先の拡大正面図である。
【発明を実施するための形態】
【００１６】
図１及び図２に本発明の実施の形態を示す。
【００１７】
本実施の形態の筆記具１は、軸筒２と、該軸筒２内に収容されるインキが含浸されたインキ吸蔵体５と、該インキ吸蔵体５の一端に接続される第１のペン先６と、該インキ吸蔵体５の他端に接続される第２のペン先７と、前記第１のペン先６側の軸筒２に着脱自在に装着される第１のキャップ８と、前記第２のペン先７側の軸筒２に着脱自在に装着される第２のキャップ９とからなる。前記インキは、水性インキ、油性インキの何れであってもよい。
【００１８】
前記軸筒２は、円筒状の前軸３と、該前軸３と連結される円筒状の後軸４とからなる。前記前軸３は、一端に第１のペン先６が圧入固着される取付孔３１を備え、他端に開口部を備える。前記後軸４は、一端に第２のペン先７が圧入固着される取付孔４１を備え、他端に開口部を備える。前記前軸３の他端の開口部と、前記後軸４の他端の開口部は、圧入または螺合により互いに連結される。前記取付孔３１の内壁には、第１のペン先６の段部６５に当接可能な係止壁部３２が形成される。前記取付孔４１の内壁には、第２のペン先７の段部７５に当接可能な係止壁部４２が形成される。前記前軸３の内壁には、インキ吸蔵体５の一端が当接可能な当接壁部３３が形成され、前記後軸４の内壁には、インキ吸蔵体５の他端が当接可能な当接壁部４３が形成される。
【００１９】
前記第１のペン先６及び第２のペン先７は、合成樹脂製の繊維束の樹脂加工体である。前記第１のペン先６及び第２のペン先７は、例えば、ポリエステル繊維、アクリル繊維、ナイロン繊維等の集束体をバインダー樹脂で固着したものが挙げられる。前記バインダー樹脂は、例えば、ポリウレタン樹脂、メラミン樹脂、エポキシ樹脂、フェノール樹脂、ポリエステル樹脂、ユリア樹脂、キシレン樹脂等が挙げられる。
【００２０】
前記第１のペン先６及び第２のペン先７は、円柱状の連続棒状成形体（いわゆる原棒）を、適宜長さに切断し、先端部及び後端部を研削加工することにより得られる。
【００２１】
前記第１のペン先６は、砲弾形状の先端部６１と、該先端部６１から後方に連設される円柱状の大径部６２と、該大径部６２の後端に形成される段部６５と、該段部６５から後方に連設される円柱状の小径部６３と、該小径部６３から後方に連設される円錐面状のテーパ部６４とからなる。
【００２２】
前記第２のペン先７は、砲弾形状の先端部７１と、該先端部７１から後方に連設される円柱状の大径部７２と、該大径部７２の後端に形成される段部７５と、該段部７５から後方に連設される円柱状の小径部７３と、該小径部７３から後方に連設される円錐面状のテーパ部７４とからなる。
【００２３】
前記第１のペン先６の大径部６２が前軸３の取付孔３１に圧入固着され、前記第１のペン先６の段部６５が前軸３の係止壁部３２に係止され、前記第１のペン先６の小径部６３及びテーパ部６４がインキ吸蔵体５の一端に突き刺し接続される。同様に、前記第２のペン先７の大径部７２が後軸４の取付孔４１に圧入固着され、前記第２のペン先７の段部７５が後軸４の係止壁部４２に係止され、前記第２のペン先７の小径部７３及びテーパ部７４がインキ吸蔵体５の他端に突き刺し接続される。
【００２４】
前記第１のペン先６の大径部６２の外径は、最大外径Ｄとなり、５．５ｍｍ以上（具体的には６ｍｍ）に設定される。前記第２のペン先７は最大外径４ｍｍである。前記第１のペン先６により太幅の筆跡が得られ、前記第２のペン先７により細幅の筆跡が得られる。
【００２５】
前記第１のペン先６の最大外径Ｄに対する前記第１のペン先６の先端部６１の軸方向の長さＬの比（Ｌ／Ｄ）が、０．４〜０．８５（好ましくは０．５〜０．７５）に設定される。例えば、前記第１のペン先６の先端部６１の軸方向の長さＬが４ｍｍに設定され、前記第１のペン先の最大外径Ｄが６ｍｍに設定され、前記Ｌ／Ｄの値が０．６７となる。
【００２６】
前記第１のペン先６の先端部６１の軸方向の長さＬの半分の長さ分だけ第１のペン先６の先端部６１の頂点から後方に離れた位置における第１のペン先６の先端部６１の外径をＥとするとき、前記外径Ｅの前記第１のペン先６の最大外径Ｄに対する比（Ｅ／Ｄ）は、０．８５〜０．９に設定される。例えば、前記外径Ｅが５．３ｍｍに設定され、前記第１のペン先６の最大外径Ｄが６ｍｍに設定され、前記Ｅ／Ｄの値が０．８８となる。
【００２７】
前記第１のペン先６の先端部６１は、凸曲面からなる。前記第１のペン先６の先端部６１は、二つの異なる曲率半径を有する凸曲面により構成され、頂点側の曲率半径Ｒ１は３．５ｍｍに設定され、大径部６２側の曲率半径Ｒ２は８ｍｍに設定される。本実施の形態では、第１のペン先６の先端部６１の頂点には、凸曲面が存在せず、尖頭形状を有するが、これ以外にも、第１のペン先６の先端部６１の頂点に凸曲面を設けることも可能である。
【００２８】
本実施の形態の筆記具１は、第１のペン先６の最大外径Ｄに対する第１のペン先６の先端部６１の軸方向の長さＬの比（Ｌ／Ｄ）を、０．４〜０．８５（好ましくは０．５〜０．７５）の範囲に設定したことによって、前記第１のペン先６を用いて筆記することにより、筆記方向や筆記角度が異なる場合でも、一定の幅（例えば、約２．５ｍｍ）の筆跡が確実に得られる。
【００２９】
本実施の形態の筆記具１は、前記第１のペン先６の最大外径をＤに対する前記第１のペン先６の外径Ｅの比（Ｅ／Ｄ）を０．８５〜０．９の範囲に設定することにより、より一層、筆記方向や筆記角度が異なる場合でも、一定の筆跡幅が確実に得られる。
【００３０】
本実施の形態の筆記具１は、第１のペン先６の最大外径Ｄが５．５ｍｍ以上であることにより、第１のペン先６を用いて筆記することにより、筆記方向や筆記角度が異なる場合でも、比較的太い一定の筆跡幅が確実に得られる。
【符号の説明】
【００３１】
１  筆記具
２  軸筒
３  前軸
３１  取付孔
３２  係止壁部
３３  当接壁部
４  後軸
４１  取付孔
４２  係止壁部
４３  当接壁部
５  インキ吸蔵体
６  第１のペン先
６１  先端部
６２  大径部
６３  小径部
６４  テーパ部
６５  段部
７  第２のペン先
７１  先端部
７２  大径部
７３  小径部
７４  テーパ部
７５  段部
８  第１のキャップ
９  第２のキャップ
Ｄ  ペン先の最大外径
Ｌ  ペン先の先端部の軸方向の長さ
Ｅ  ペン先の先端部の頂点から後方にＬ／２だけ離れた位置におけるペン先の先端部の外径
【図１】
2011148092.tif 000003
【図２】
2011148092.tif 000004